(57)【要約】      （修正有）【課題】損傷することが少ないプラスチック飾り鋲（スタッズ）を提供する。【解決手段】飾り鋲ａは、主として雄型飾り鋲１と雌型飾り鋲２からなる。雄型飾り鋲１は、立体的硬質プラスチック装飾体３の内側凹所４内に、先端部５が易圧潰性の金属製突状片６を有しており、アルミニウム製よりなるビス状片７を配置する。このビス状片７は、該装飾体３の内側凹所４内と保持環状体８とを、融着剤にて固定することによって先端部５が易圧潰性の金属製突状片６を有した、アルミニウム製よりなるビス状片７を抱持した状態で該装飾体３の内側凹所４内と保持環状体８との一体化が達成される。立体的硬質プラスチック体の内側凹３内にアルミニウム製のビス状片７のような金属製突状片を植立する。【選択図】図２
0003147488.tif 000002
【実用新案登録請求の範囲】
【請求項１】
雄型飾り鋲が硬質プラスチックよりなる飾り鋲において、硬質プラスチッチックの内側凹所に先端部が易圧潰性の金属製突状片を配置し、この金属製突状片の下部を硬質プラスチッチックの内側凹所内に保持環状体を固定することによって、金属製突状片を硬質プラスチッチックの内側凹所内に微動可能に保持してなる雄型飾り飾り鋲と、内側部に凹所を有し該凹所に係合部を有する雌型飾り鋲とからなり、前記雄型飾り飾り鋲の先端部が易圧潰部に雌型飾り鋲の凹所を差し込み、雌型飾り鋲の外方より押圧することにより雄型飾り飾り鋲の金属製突状片の先端部易圧潰部と雌型飾り鋲の内部空所と係合するようにしたことを特徴とする飾り鋲。
【請求項２】
先端部が易圧潰性のアルミニウム製金属製突状片は、その全体の形状がビス状である請求項１記載の飾り鋲。
【請求項３】
雄型飾り鋲が硬質プラスチックよりなる飾り鋲において、硬質プラスチッチックの内側凹所に先端部が易圧潰性の金属製突状を有するビス状片を配置し、硬質プラスチッチックの内側凹所内に保持環状体を固定することによって、金属製突状を有するビス状片を硬質プラスチッチックの内側凹所内に微動可能に保持してなる雄型飾り飾り鋲と、内側部に凹所を有し該凹所に係合部を有する雌型飾り鋲とからなり、比較的重厚なシートに予め開けられた細孔に雄型飾り飾り鋲に設けられた前記ビス状片の先端部を差し入れ、該シート表面より出た雄型飾り飾り鋲の先端部が易圧潰部に雌型飾り鋲の凹所を差し込み、雌型飾り鋲の外方より押圧することにより雄型飾り飾り鋲のビス状片の先端部の易圧潰部と雌型飾り鋲の内部空所と係合するようにしたことを特徴とする飾り鋲。
【請求項４】
硬質プラスチッチックの内側凹所と保持環状体とは融着剤にて固定してなる請求項１、請求項２又は請求項３記載の飾り鋲。
【考案の詳細な説明】
【考案の詳細な説明】
【技術分野】
【０００１】この考案は、スタッズ（以下、飾り鋲という）を使用したアイテムとして近時の流行を反映してベルト、バッグ、ブレスレット、ウオレット、デニム、サンダル、ブーツ、パンプス、ミュール、スニーカー、キャップ、傘、その他多様な製品の装飾に使用されている飾り鋲に関する。詳しくは、飾り鋲を構成する立体的硬質プラスチッチック装飾体の雄型飾り鋲と、この雄型飾り鋲をシートに固定するための雌型飾り鋲とからなる飾り鋲に関する。
【技術の背景】
【０００２】従来の、雄型飾り鋲が硬質プラスチックよりなる飾り鋲は、図６のように、各種の硬質プラスチックよりなり、先端部が易圧潰性の金属製突状を有するビス状片を硬質プラスチックの着座部に直接的に強力な接着力を有する接着剤Ｇ等により硬質プラスチッチックよりなる雄型飾り飾り鋲の内側凹所に接着固定していた。
【０００３】そのため、厚手のシートに開けられた細孔に易圧潰性の金属先端部を貫通させ、その先端から突出した易圧潰部に雌型飾り鋲の凹所を嵌合させ、雌型飾り鋲の外方より押圧して、スタッズをベルト、バッグ、ブレスレット、ウオレット、デニム、サンダル、ブーツ、パンプス、ミュール、スニーカー、キャップ、傘等の各種製品の飾りに取り付けるのであるが、金属製突状を有するビス状片からの押圧力が過剰に加えられれた場合には、雌型飾り鋲を固定させる際に、雌型飾り鋲の外方より押圧する際に硬質プラスチッチックよりなる雄型飾り鋲を可視的に損傷させたり、又は雄型飾り鋲に目に見えない亀裂を発生させること等で、後日返品の対象の飾り鋲となることがしばしば発生した。
【考案の開示】
【考案の解決しようとする課題】
【０００４】しかし、先端部が易圧潰性の金属製突状を有するビス状片を直接的に接着剤等により硬質プラスチッチックよりなる雄型飾り飾り鋲の内側凹所に固定しているものでは、金具と雄型飾り飾り鋲直接接着しているために雌型飾り鋲の上方から加圧衝撃が加われば、硬質プラスチックよりなる雌型飾り鋲の硬質プラスチック部分に亀裂等を発生させ、又は雌型飾り鋲の上方から加圧衝撃が加わる際に硬質プラスチッチックよりなる雄型飾り飾り鋲の内側凹所に接着剤で固定されている先端部が易圧潰性の金属製突状を有するビス状片が、前記凹所より離脱して、飾り鋲として機能しなく欠点がある。実際、このような製品では、飾り鋲の損傷による返品が非常に多いのは事実である。従って、雌型飾り鋲が損傷を受けないような構造の平凡なデザインにならざるを得ない。
【０００５】従って、本考案の目的とするところは、先端部が易圧潰性の金属製突状を有するビス状片を硬質プラスチッチックよりなる雄型飾り飾り鋲の内側凹所内に間接的に保持し、前記先端部が易圧潰性の金属製突状を有するビス状片の先端部が加圧された場合でも、硬質プラスチッチックよりなる雄型飾り飾り鋲を破損することは全くないと共に、雄型飾り飾り鋲の内側凹所内から金属製突状を有するビス状片が離脱することは絶無である。従って、本願考案の飾り鋲の損傷がないために、これらを取り付けた製品自体が飾り鋲の損傷を理由に返品されることはない。
【課題を解決するための手段】
【０００６】本考案は、上記の問題点に鑑み、この考案は、雄型飾り鋲が硬質プラスチックよりなる飾り鋲において、硬質プラスチッチックの内側凹所に先端部が易圧潰性の金属製突状片を配置し、この金属製突状片の下部を硬質プラスチッチックの内側凹所内に保持環状体を固定することによって、金属製突状片を硬質プラスチッチックの内側凹所内に微動可能に保持してなる雄型飾り飾り鋲と、内側部に凹所を有し該凹所に係合部を有する雌型飾り鋲とからなり、前記雄型飾り飾り鋲の先端部が易圧潰部に雌型飾り鋲の凹所を差し込み、雌型飾り鋲の外方より押圧することにより雄型飾り飾り鋲の金属製突状片の先端部易圧潰部と雌型飾り鋲の空所にて係合するようにしてあるものである。
【０００７】そして、この先端部が易圧潰性の金属製突状片は、その全体の形状がビス状としてある。
【０００８】更に、使用の実際では、雄型飾り鋲が硬質プラスチックよりなる飾り鋲において、硬質プラスチッチックの内側凹所に先端部が易圧潰性の金属製突状を有するビス状片を配置し、硬質プラスチッチックの内側凹所内に保持環状体を固定することによって、金属製突状を有するビス状片を硬質プラスチッチックの内側凹所内に微動可能に保持してなる雄型飾り飾り鋲と、内側部に凹所を有し該凹所に係合部を有する雌型飾り鋲とからなり、比較的重厚なシートに予め開けられた細孔に雄型飾り飾り鋲に設けられた前記ビス状片の先端部を差し入れ、該シート表面より出た雄型飾り飾り鋲の先端部が易圧潰部に雌型飾り鋲の凹所を差し込み、雌型飾り鋲の外方より押圧することにより雄型飾り飾り鋲のビス状片の先端部が易圧潰部と雌型飾り鋲とが係合するようにしてあるものである。
【０００９】しかも、金属製突状を有するビス状片の保持は、硬質プラスチッチックの内側凹所と保持環状体とは融着固定しているものである。
【考案を実施するための最良の形態】
【実施例１】
【００１０】この考案に係る飾り鋲ａは、主として雄型飾り鋲１と雌型飾り鋲２とからなる。雄型飾り鋲１は、立体的硬質プラスチッチック装飾体３の内側凹所４内に、先端部５が易圧潰性の金属製突状片６を有しており、アルミニウム製よりなる全体の形状がビス状片７を配置される。このビス状片７は、立体的硬質プラスチッチック装飾体３の内側凹所４内と保持環状体８とを、融着剤にて固定することによって先端部５が易圧潰性の金属製突状片６を有した、アルミニウム製よりなる全体の形状がビス状片７を抱持した状態で立体的硬質プラスチッチック体３の内側凹所４内と保持環状体８との一体化が達成される。立体的硬質プラスチッチック体の内側凹所３内にアルミニウム製のビス状片７のような金属製突状片が植立される。保持環状体８の構造は、金属製突状片のビス状片７の着座部９の形状に沿った凹所１０とが嵌まり合う形状としてあるため、上記のように立体的硬質プラスチッチック体３の内側凹所４内と保持環状体８との一体化が達成されると、先端部５が易圧潰性の金属製突状片６を有した、アルミニウム製よりなる全体の形状がビス状片７の離脱は不可能となる。【００１１】上述のように、ビス状片７の下部着座部９は、硬質プラスチッチック体の内側凹所４内と保持環状体８との接触部とは融着剤２１にて固定することで保持され、ビス状片７はの下部は、立体的硬質プラスチッチック装飾体３の内側凹所４内及び保持環状体８とはなんら固定されておらない。ビス状片７はの下部と保持環状体８の凹所１０との間には微細な遊びの間隙１１が形成されるため、このビス状片６の上方部より加圧された力が働いた場合であっても、立体的硬質プラスチッチック装飾体３及び保持環状体８を損傷させることはない。【００１２】金属製突状片６の先端部５は、予め易圧潰性に製作されている。易圧潰性は、図１及び図３のように、上方より加圧Ｐされれば、傘状に圧潰し、図４及び図５のように特定方向に曲折するもの、或いはそれ以外に各種の形状に圧潰するものも含まれる。【００１３】雌型飾り鋲２は、上方は円形傘状部１２と、この円形傘状部１２の下部中央部には筒片部１３を形成してあると共に、この円形傘状部１２と筒片部１３の内部は内空所１４である。即ち、筒片部１０は金属製突状片５の上端部に嵌合可能に形成してあると共に、金属製突状片６の最先端部５を円形傘状部１２の内空所１４の上辺に位置せしめた状態のままで、円形傘状部１２の上方から強力な押圧力を加えれば図１のごとく雌型飾り鋲２は、金属製突状片５の先端部５が曲折又は圧潰することによって先端部５が傘状又は曲折状の圧潰部と、内空所１４の凸周部１５とが係合することになる。なお、円形傘状部１２の上方から強力な押圧力を加えれば、金属製突状片５の先端部５が曲折し易いように先端部５を若干の曲げ、曲折用の凹み部２０を形成する場合もある。【００１４】実際の使用にあって説明すれば、飾り鋲ａをとりつけるベルト等の製品１６素材の厚手のシート１７に細孔１８を穿設し、該シート１７の表面側より雄型飾り鋲１のビス状片７の金属製突状片６を前記製品素材の厚手のシート１７に穿設された細孔１８に貫通させ、細孔１８より突き出た先端部５に雌型飾り鋲２の筒片部１３を嵌合し、雌型飾り鋲２の円形傘状部１２の上方より加圧すると、ビス状片７の易圧潰性の先端部５の圧潰部は、雌型飾り鋲２の円形傘状部１２の内部空所１４の凸周部１５と係合する。製品シート１１への飾り鋲ａの取付けは完了する。
【考案の効果】
【００１５】この考案では、先端部が易圧潰性の金属製突状状片の下部は、接着手段ではなく、硬質プラスチッチック装飾体の内側凹所内と保持環状体とが一体化されることによって単に抱持されているだけであるので、仮に金属製突状状片が加圧の衝撃が加わった場合でも、立体的硬質プラスチッチック装飾体を破損させることない。スタッズ（飾り鋲）と称されるこの種商品は、種々あるが、硬質プラスチック装飾体にビス状の直接的に突出片を取り付けるものでは、製作工程の中出、雄型飾り鋲に、雌型飾り鋲を加圧するときに、目に見える破損及び目に見えない破損が発生して、一旦製品として出した後に、その破損を原因とする返品がしばしば発生して業者が窮状が耐えない。製品における破損の原因を完全に解消したことによって、硬質プラスチッチック装飾体に複雑なデザインを採用することもできるようになった。
【図面の簡単な説明】
【００１６】
【図１】飾り鋲をシートに取り付けた状態を示す断面図
【図２】本願考案の飾り鋲の部品を分離して示した断面図
【図３】先端部が傘状に圧潰した雄型飾り鋲を示す斜視図
【図４】雄型飾り鋲を示す斜視図
【図５】他の雄型飾り鋲の実施例を示す斜視図
【図６】ベルトのような製品に取り付けた状態を示す部分斜視図
【図７】従来の雄型飾り鋲を示す断面図
【符号の説明】
１．．．雄型飾り鋲
２．．．雌型飾り鋲
３．．．立体的硬質プラスチッチック装飾体
４．．．内側凹所
５．．．先端部
６．．．金属製突状片
７．．．ビス状片
８．．．保持環状体
９．．．着座部
１０．．凹所
１１．．遊びの間隙
１２．．円形傘状部
１３．．筒片部
１４．．内空所
１５．．凸周部
１６．．製品
１７．．シート
１８．．細孔
２０．．凹み部細孔
２１．．融着剤
ａ  ．．飾り鋲
【図１】
0003147488.tif 000003
【図２】
0003147488.tif 000004
【図３】
0003147488.tif 000005
【図４】
0003147488.tif 000006
【図５】
0003147488.tif 000007
【図６】
0003147488.tif 000008
【図７】
0003147488.tif 000009